(57)【要約】【課題】車載用電子機器に突出して固定されたＵＳＢメモリが顔等に追突する危険性を回避できるＵＳＢ接続機構を提供すること。【解決手段】ＵＳＢメモリ１０と接続されるＵＳＢコネクタ１３，４３と、車載用電子機器のユーザに向かう前面に配置された開口部２８，４６を有するＵＳＢコネクタ収容部２７、４７と、前記ＵＳＢコネクタ１３，４３を前記ＵＳＢコネクタ収容部２７，４７の内部で移動可能にする移動機構３０，４０と、を有するＵＳＢメモリ接続機構１８，４８。【選択図】図２
2012040919.tif 000002
【特許請求の範囲】
【請求項１】
ＵＳＢメモリと接続されるＵＳＢコネクタと、
車載用電子機器のユーザに向かう前面に配置された開口部を有するＵＳＢコネクタ収容部と、
前記ＵＳＢコネクタを前記ＵＳＢコネクタ収容部の内部で移動可能にする移動機構と、
を有するＵＳＢメモリ接続機構。
【請求項２】
前記移動機構は、前記ＵＳＢコネクタに接続される接続線及び前記接続線を巻き取る巻取り部を含む、請求項１に記載のＵＳＢメモリ接続機構。
【請求項３】
前記移動機構は、前記ＵＳＢコネクタを移動させるプッシュイン・プッシュアウト機構である、請求項１に記載のＵＳＢメモリ接続機構。
【請求項４】
前記ＵＳＢコネクタ収容部は、奥行き方向の少なくとも一部で断面積が減少するようにテーパ状に形成されることを特徴とする請求項１ないし３のいずれか一項に記載のＵＳＢメモリ接続機構。
【請求項５】
前記ＵＳＢコネクタ収容部は、奥行き方向の少なくとも一部で断面積が減少するように階段が形成されることを特徴とする請求項１ないし３のいずれか一項に記載のＵＳＢメモリ接続機構。
【請求項６】
前面に形成した表示部と、
ＵＳＢメモリと接続されるＵＳＢコネクタと、ユーザに向かう前記前面に配置された開口部を有するＵＳＢコネクタ収容部と、前記ＵＳＢコネクタを前記ＵＳＢコネクタ収容部の内部で移動可能にする移動機構とを有するＵＳＢメモリ接続機構と、
を有する車載用電子機器。
【請求項７】
前記移動機構は、前記ＵＳＢコネクタに接続される接続線及び前記接続線を巻き取る巻取り部を含む、請求項６に記載の車載用電子機器。
【請求項８】
前記移動機構は、前記ＵＳＢコネクタを移動させるプッシュイン・プッシュアウト機構である、請求項６に記載の車載用電子機器。
【請求項９】
前記ＵＳＢコネクタ収容部は、奥行き方向の少なくとも一部で断面積が減少するようにテーパ状に形成されることを特徴とする請求項６ないし８のいずれか一項に記載の車載用電子機器。
【請求項１０】
前記ＵＳＢコネクタ収容部は、奥行き方向の少なくとも一部で断面積が減少するように階段が形成されることを特徴とする請求項６ないし８のいずれか一項に記載の車載用電子機器。
【発明の詳細な説明】
【技術分野】
【０００１】
本発明は、ＵＳＢメモリ接続機構、特に、車載用電子機器にＵＳＢメモリ等のＵＳＢコネクタを備えた電子デバイスを接続するためのＵＳＢメモリ接続機構及びＵＳＢメモリ接続機構を備えた車載用電子機器に関する。
【背景技術】
【０００２】
車載用電子機器には、ＣＤ、ＤＶＤ等を搭載したカーナビ、ＣＤ、ＤＶＤ等を搭載した音楽・映像等を車内で視聴できる電子機器がある。車載用電子機器へ楽曲等の情報を外部メディアから取り込むためには、従来ＣＤ等が利用されていたが、最近はメモリ容量が急激に増大した半導体メモリも利用されている。
【０００３】
半導体メモリの蓄積容量が飛躍的に増大し、楽曲、静止画、更に動画も蓄積できるようになってきている。したがって、車載用電子機器に対して、半導体メモリを利用したＵＳＢメモリ等のＵＳＢコネクタを利用したデバイスで情報を提供することが可能となってきている。
【０００４】
車載用電子機器に対して、ＵＳＢメモリを接続することが知られているが、ＵＳＢメモリは、車載用電子機器の前面パネルをスライドさせて、通常は外部に露出していない車載用電子機器本体の前面に形成されたＵＳＢメモリ格納部にＵＳＢメモリを格納することが知られている（特許文献１）。
【０００５】
また、プリンターの筐体上面近傍へのＵＳＢメモリの挿入時に、筐体の一部が内側に開いて開口部となり、開口部を介して筐体内部のＵＳＢコネクタに接続する技術が知られており（特許文献２）、また、磁気ディスク装置を他の磁気ディスク等の機器と接続するためのシリアル・インタフェース・ケーブルを磁気ディスク装置内に巻き取り収納可能な巻き取り部を備えることも知られている（特許文献３）。
【０００６】
一方、車載用電子機器に関しては、車載用電子機器から車両内部への突出長が一定の長さ以上の構成要素（例えば、音量調整用つまみ）に対して、車両の急停止等の際に座席に座っている人の衝突する恐れがある。車両の衝突時に、構成要素が車載用電子機器内部へ押し込まれるか、押しつぶされることにより、突出した部品による衝突時の危険（主に乗員のケガ）を回避することが、ヨーロッパ及びアジアの一部の国では義務付けられている。
【先行技術文献】
【特許文献】
【０００７】
【特許文献１】ＷＯ２００７／０３９９８７
【特許文献２】特開２００８−１５９５４０号公報
【特許文献３】特開２００１−３３７７４７号公報
【発明の概要】
【発明が解決しようとする課題】
【０００８】
ＵＳＢメモリを車載用電子機器に取り付ける場合には、通常、ＵＳＢコネクタを車載用電子機器の後面から引き出して、ＵＳＢメモリに接続していた。しかし、車載用電子機器の後面から引き出したＵＳＢコネクタをＵＳＢメモリに接続することは、煩雑であり、また、運転時に車両が振動した場合には、ＵＳＢコネクタとＵＳＢメモリとの接続も困難となる。
【０００９】
そのため、車載用電子機器の前面に接続されるＵＳＢコネクタに対してＵＳＢメモリを接続することにより、ＵＳＢメモリの接続を容易とするよう工夫されていた。しかしながら、車載用電子機器の前面にＵＳＢメモリを取り付けると、ＵＳＢメモリはその長さだけ車両の座席側に突出して固定されるため、車両が衝突した場合には、車両前列に座っている人が前方に押し出され、突出して固定されたＵＳＢメモリに顔等が追突する危険性が高い。
【００１０】
そこで、車両が衝突した場合にも、前列の座席に座っている人のＵＳＢメモリへの衝突の危険性が低く、ＵＳＢメモリの取り外しが容易となるＵＳＢメモリ接続機構及びそれを用いた車載用電子機器を提供することを目的とする。
【課題を解決するための手段】
【００１１】
上記課題を解決するために、本発明に係るＵＳＢメモリ接続機構は、ＵＳＢメモリと接続されるＵＳＢコネクタと、車載用電子機器のユーザに向かう前面に配置された開口部を有するＵＳＢコネクタ収容部と、前記ＵＳＢコネクタを前記ＵＳＢコネクタ収容部の内部で移動可能にする移動機構とを有するようにした。
【００１２】
また、本発明に係るＵＳＢメモリ接続機構は、前記移動機構が前記ＵＳＢコネクタに接続される接続線及び前記接続線を巻き取る巻取り部を含む、又は、前記移動機構が前記ＵＳＢコネクタを移動させるプッシュイン・プッシュアウト機構であるようにした。
【００１３】
また、本発明に係る車載用電子機器は、前面に形成した表示部と、ＵＳＢメモリと接続されるＵＳＢコネクタと、ユーザに向かう前記前面に配置された開口部を有するＵＳＢコネクタ収容部と、前記ＵＳＢコネクタを前記ＵＳＢコネクタ収容部の内部で移動可能にする移動機構とを有するＵＳＢメモリ接続機構と、を有するようにした。
【００１４】
また、本発明に係る車載用電子機器は、前記移動機構が前記ＵＳＢコネクタに接続される接続線及び前記接続線を巻き取る巻取り部を含む、又は、前記移動機構が前記ＵＳＢコネクタを移動させるプッシュイン・プッシュアウト機構であるようにした。
【発明の効果】
【００１５】
車載用電子機器に適用できるＵＳＢメモリ接続機構において、ＵＳＢメモリ接続時のＵＳＢメモリのユーザ方向への突出長を減少又は無くすることができるので、車両が衝突した場合でも、前列の座席に座っている人がＵＳＢメモリに衝突する危険性を無くす。又は衝突による負傷を小さくする。また、ＵＳＢメモリとの接続が容易となる。
【図面の簡単な説明】
【００１６】
【図１】（ａ）、（ｂ）は、ＵＳＢメモリのＵＳＢコネクタとの接続前及び接続時の状態を示したものである。
【図２】本発明のＵＳＢメモリ接続機構を備えた車載用電子機器の概略斜視図である。
【図３】（ａ）、（ｂ）は、巻き取り機構の一例を示す分解斜視図及び、巻き取り機構の側面図である。
【図４】（ａ）、（ｂ）は、本発明のＵＳＢメモリ接続機構の巻き取り機構の使用状態を説明する車載用電子機器の正面概略図である。
【図５】（ａ）、（ｂ）、（ｃ）は、本発明のＵＳＢメモリ接続機構の巻き取り機構とＵＳＢメモリとの接続状態の、図２のＩ−Ｉ矢視方向断面図である。
【図６】（ａ）、（ｂ）、（ｃ）は、本発明の他のＵＳＢメモリ接続機構のＵＳＢコネクタ収容部の断面構造の、図２のＩ−Ｉ矢視方向断面図である。
【図７】本発明の更に他のＵＳＢメモリ接続機構を備えた車載用電子機器の正面概略図である。
【図８】本発明の更に他のＵＳＢメモリ接続機構のプッシュイン・プッシュアウト機構を備える車載用電子機器の概略斜視図である。
【図９】プッシュイン・プッシュアウト機構の概略図である。
【図１０】（ａ），（ｂ）、（ｃ）は、本発明のＵＳＢメモリ接続機構に用いられるプッシュイン・プッシュアウト機構の一例の上面概観図で、コネクタ支持部が押し込まれる前の状態、コネクタ支持部が押し込まれてロックされた状態、コネクタ支持部がさらに押し込まれてロックが解除された状態を示す図である。
【図１１】（ａ）、（ｂ）、（ｃ）は、本発明の更に他のＵＳＢメモリ接続機構のプッシュイン・プッシュアウト機構とＵＳＢメモリとの接続状態の、図８のＩＩ−ＩＩ矢視方向断面図である。
【図１２】（ａ）、（ｂ）は、本発明の更に他のＵＳＢメモリ接続機構のプッシュイン・プッシュアウト機構とＵＳＢメモリとの接続状態の、図８のＩＩ−ＩＩ矢視方向断面図である。
【図１３】（ａ）、（ｂ）、（ｃ）は、本発明の更に他のＵＳＢメモリ接続機構のプッシュイン・プッシュアウト機構を備える車載用電子機器の正面概略図である。
【発明を実施するための形態】
【００１７】
以下図面を参照して、本発明に係るＵＳＢメモリ接続構造について説明する。但し、本発明の技術的範囲はそれらの実施の形態に限定されず、特許請求の範囲に記載された発明とその均等物に及ぶ点に留意されたい。
【００１８】
図１（ａ）は、ＵＳＢメモリ１０とＵＳＢコネクタ１３との接続前の状態を示した図であり、図１（ｂ）は、ＵＳＢメモリ１０とＵＳＢコネクタ１３との接続後の状態を示した図である。
【００１９】
図１（ａ）において、ＵＳＢメモリ１０は、ＵＳＢメモリ本体１１とＵＳＢ取付部１２からなる。また、ＵＳＢコネクタ１３は、ＵＳＢ受け部１４、ＵＳＢコネクタ本体１５および接続線１６からなる。図１（ａ）のＵＳＢ取付部１２とＵＳＢ受け部１４とが対向した接続前の状態で、ＵＳＢ取付部１２とＵＳＢ受け部１４とを互いに近接し相互に挿入し、完全に接続された状態が、図１（ｂ）に示される。
【００２０】
また、ＵＳＢ取付部１２とＵＳＢ受け部１４とは、それぞれ内部に、厚さ方向のいずれか一方の空間に、電気的接点（図示せず）と絶縁性の電気的接点支持部（図示せず）が形成されている。したがって、ＵＳＢ取付部１２とＵＳＢ受け部１４との、電気的接点と絶縁性の電気的接点支持部の形成される側が同一側で互いに対向する状態では挿入できず、互いの電気的接点と絶縁性の電気的接点支持部が厚さ方向で反対側に、言い換えると、互いに対向しない状態では挿入接続できる。このとき、ＵＳＢ取付部１２とＵＳＢ受け部１４とで相互に接続されたＵＳＢメモリ１０とＵＳＢコネクタ１３とは、十分強固に接続される。
【００２１】
図２は、本発明に関するＵＳＢメモリ接続構造を車載用電子機器に用いた場合の一例の概観斜視図である。車載用電子機器２１の意匠面（前面）２２には、ＣＤ・ＤＶＤトレイ２３、表示部２４、ボリューム２５、スイッチ２６及びＵＳＢコネクタ収容部２７が形成される。ＵＳＢコネクタ収容部２７は、開口部２８を備えている。ＣＤ・ＤＶＤトレイ２３は、前後方向に移動可能であり、通常は車載用電子機器２１内に収容されているが、前方に突出した状態では、ＣＤ又はＤＶＤがセットできる。表示部２４には、各種文字・図形・映像情報を表示できる。また、複数配置されたボリューム２５及びスイッチ２６は、周波数調整、音量調整、楽曲の選択、情報の選択等の各種操作に利用できる。
【００２２】
ＵＳＢコネクタ収容部２７は、ＵＳＢコネクタ１３（図１参照）を収容可能である。ＵＳＢコネクタ１３にＵＳＢメモリ１０を接続しない時には、ＵＳＢコネクタ１３をＵＳＢコネクタ収容部２７内に収容すること、及び、車載用電子機器２１の前面２２のＵＳＢコネクタ収容部２７の近傍下部に垂れ下がった状態で保持することが可能である（図４（ａ）参照）。
【００２３】
意匠面から見ると、ＵＳＢコネクタ１３は、垂れ下がった状態より、ＵＳＢコネクタ収容部２７内に収容された状態が望ましい。更に、ＵＳＢコネクタ１３の接続線１６はＵＳＢコネクタ収容部２７の収容部奥部２７−３で、巻き取り機構３０に接続される（図５参照）。
【００２４】
ＵＳＢメモリ接続機構は、ＵＳＢメモリと接続されるＵＳＢコネクタと、ＵＳＢコネクタ収容部と、ＵＳＢコネクタをＵＳＢコネクタ収容部の内側で移動可能に配置する移動機構を備えている。そして、移動機構の具体例として、接続線の巻き取り機構（図３〜５参照）、プッシュイン・プッシュアウト機構（図９〜１１参照）を図面とともに説明する。
【００２５】
図３（ａ）は、接続線を巻き取るための巻き取り機構３０の一例を示す分解斜視図であり、図３（ｂ）は図３（ａ）に示す巻き取り機構３０の側面図である。巻き取り部３１は、接続線３２を巻き取り、中央に回転軸３３が貫通する回転軸穴３４を設けられ、その端部には接続線３２を巻き取るための間隔を開けた二重のフランジ部３５ａと３５ｂを備えている。ゼンマイバネ３６ａは、巻き取り部３１を接続線３２の巻き込み方向に回転させ、その一端がバネ固定軸３３ａに固定され、他端がバネ固定リブ３６ｂに固定される。バネ押え板３６ｃは、ゼンマイバネ３６ａを保持し、固定板３６ｄは巻き取り部３１を回転自在に支持する。
【００２６】
ブレーキ部材３７は、固定板３６ｄに設けられ、ローラー３７ａと、このローラー３７ａを回動自在に支持するブレーキレバー３７ｂと、ローラー３７ａを巻き取り部３１の一方のフランジ部３５ａの外周面に圧接するよう付勢するブレーキレバースプリング３７ｃとから構成される。ローラー３７ａは、固定板３６ｄの周縁に設けたフランジ部３６ｅと巻き取り部３１のフランジ部３５ｂの外周面３９とにより形成されるクサビ型の隙間３８に狭持されて制動力を生ずる。
【００２７】
次に、巻き取り機構３０の動作について説明する。接続線３２を引き出すと、巻き取り部３１は時計回り方向に回転する。この時、ローラー３７ａは、クサビ型の隙間３８から抜け出る方向に移動し巻き取り部３１に対する制動効果は生じない。また、ゼンマイバネ３６ａは、接続線３２を引き出す度に巻かれ、付勢力が蓄えられる。
【００２８】
接続線３２を必要な長さ引き出して止めると、ブレーキレバースプリング３７ｃによって、ローラー３７ａは外周面３９の方向に圧接されて、同時にゼンマイバネ３６ａの付勢力によって巻き取り部３１が若干反時計回りに回転する。そのため、ローラー３７ａが固定板３６ｄのフランジ部３６ｅと外周面３９の間にできるクサビ型の隙間３８に強制的に狭持され、外周面３９への接触抵抗によるくい込みで巻き取り部３１の回転が止まる。
【００２９】
次に引き出した接続線３２を巻き取り部３１に巻き取る場合には、図３（ｂ）に示すようなブレーキレバー３７ｂを解除する解除力Ｆを加えると、クサビ型の隙間３８に強制的に狭持されていたローラー３７ａは、強制的な狭持状態から解放される。このため、蓄えられていたゼンマイバネ３６ａの付勢力により巻き取り部３１が反時計回りに回転し、引き出されていた接続線３２が巻き取られる。さらに、接続線３２を引き出すとき、接続線３２に加えられる引き出す力に連動して解除力Ｆが働くように構成する。すると、接続線３２を多少引き出すとき、接続線３２が巻き取られるようにすることができる。
【００３０】
図３（ａ）、（ｂ）に示されるような巻き取り機構３０を用いることにより、接続線３２は、引き出した任意の位置で固定することができ、その後、接続線３２を多少引くと接続線３２を巻き戻すことができる。
【００３１】
図４（ａ）、（ｂ）は、本発明のＵＳＢメモリ接続機構の巻き取り機構の使用状態を説明する車載用電子機器の正面概略図である。ＵＳＢメモリ接続機構の巻き取り機構としては、図３（ａ）、（ｂ）に記載されるような巻き取り機構が利用できる。
【００３２】
図４（ａ）は、本発明に関するＵＳＢメモリ接続機構を備えた車載用電子機器２１において、巻き取り機構を備えたＵＳＢメモリ接続機構のＵＳＢコネクタ１３が意匠面（前面）２２に形成されたＵＳＢコネクタ収容部２７から垂れ下がった状態を示している。ＵＳＢコネクタ１３は接続線１６を介して巻き取り機構（図５参照）と接続されている。ここで、接続線１６の長さは、必要に応じてより長く設定することも可能である。なお、図４（ａ）では、車載用電子機器２１の前面２２のみを図示し、さらに、前面２２では、表示部２４、ＵＳＢコネクタ収容部２７及びＵＳＢコネクタ１３以外の要素は、省略しており、図示していない。
【００３３】
ＵＳＢコネクタ１３にＵＳＢメモリ１０が接続されていない状態では、図２に示されるように、ＵＳＢコネクタ１３は、ＵＳＢコネクタ収容部２７内に保持されるか、または、図４（ａ）に示されるように、ＵＳＢコネクタ１３は、車載用電子機器２１の前面にコネクタ収容部２７から垂れ下がった状態で保持される。したがって、ＵＳＢメモリ１０とＵＳＢコネクタ１３とを接続する際には、ＵＳＢコネクタ１３を指先で掴んで、ＵＳＢメモリ１０と接続することにより、簡単に接続が可能である。ＵＳＢコネクタ１３を掴むことは、ＵＳＢコネクタが車載用電子機器２１の後面から導出される従来技術と比較して、ＵＳＢメモリ１０とＵＳＢコネクタ１３との接続は非常に簡単である。
【００３４】
図４（ｂ）は、本発明に関するＵＳＢメモリ接続機構を備えた車載用電子機器２１において、図３（ａ），（ｂ）に示されるような巻き取り機構３０（図示せず）を備えたＵＳＢメモリ接続機構１８（図５参照）のＵＳＢコネクタ１３とＵＳＢメモリ１０が接続された状態を示す。この状態では、ＵＳＢメモリ１０は、車載用電子機器２１から座席方向に突出しておらず、仮に、衝突などの衝撃があった場合においても、座席に座っている人がＵＳＢメモリ１０に衝突する危険は回避できる。
【００３５】
また、ＵＳＢメモリ１０の取り外しの際も、ＵＳＢメモリ１０とＵＳＢコネクタ１３を掴んで互いに反対方向に引くことにより、ＵＳＢ取付部１２とＵＳＢ受け部１４とを簡単に取り外すことができる。ＵＳＢコネクタ１３は、ＵＳＢコネクタ収容部２７から垂れ下がった状態で保持される。ＵＳＢメモリ１０を取り外した後に、ＵＳＢコネクタ１３を手前に多少引いた後、手を離すとＵＳＢコネクタ１３は、巻き取り機構３０の働きにより、ＵＳＢコネクタ収容部２７内に収容できる。
【００３６】
図５（ａ）、（ｂ）、（ｃ）は、本発明のＵＳＢメモリ接続機構の巻き取り機構とＵＳＢメモリとの接続状態を、図２のＩ−Ｉ矢視方向断面図で示したものである。なお、図５（ａ）〜（ｃ）では、ＵＳＢコネクタ収容部２７、ＵＳＢコネクタ１３、接続線１６、巻き取り機構３０及び前面２２以外の構成要素は図示していない。
【００３７】
図５（ａ）は、ＵＳＢコネクタ接続機構１８において、ＵＳＢコネクタ１３がＵＳＢメモリ１０に接続される前の状態であって、ＵＳＢコネクタ１３は、ＵＳＢコネクタ収容部２７内に保持されている。この状態では、ＵＳＢコネクタ１３は、接続線１６により巻き取り機構３０に接続されている。そして、ＵＳＢコネクタ１３は、ＵＳＢコネクタ収容部２７の収容部下面２７−２に一部が接した状態で接続線１６を介して保持される。
【００３８】
ＵＳＢメモリ１０と接続するために、ＵＳＢコネクタ１３を指先で掴んで、ＵＳＢメモリ１０のＵＳＢ取付部１２とＵＳＢコネクタ１３のＵＳＢ受け部１４とを接続する（図１参照）。ＵＳＢコネクタ１３を指先で掴む際には、ＵＳＢコネクタ１３がＵＳＢコネクタ収容部２７の収容部下面２７−２に接していれば、ＵＳＢコネクタ１３を指で引き出して掴むことができる。
【００３９】
ここで、ＵＳＢコネクタ１３の厚みが約１０ｍｍ、指先の厚さが約１５ｍｍとすると、ＵＳＢコネクタ収容部２７の高さは３０ｍｍ程度が好ましい。ＵＳＢコネクタ収容部２７の高さは高いほどＵＳＢコネクタ１３の取り出しは容易であるが、ＵＳＢコネクタ収容部２７の開口部２８の面積が、前面２２内で占める比率が高くなると、車載用電子機器の他の構成要素を配置する面積が減少するので望ましくない。また、ＵＳＢコネクタ収容部２７の幅は、ＵＳＢコネクタ１３の幅より大きく、２０ｍｍ程度が好ましい。なお、ＵＳＢコネクタ収容部２７の幅及び高さはほぼ同じであってもよい。
【００４０】
図５（ｂ）は、ＵＳＢコネクタ１３とＵＳＢメモリ１０とを接続した後、ＵＳＢメモリ１０がＵＳＢコネクタ収容部２７の前に接続線１６により垂れ下がった状態を示す。この状態では、接続線１６は、ＵＳＢコネクタ１３とＵＳＢメモリ１０の重さを支持できる強度が必要である。また、巻き取り機構３０は、ＵＳＢコネクタ１３、ＵＳＢメモリ１０及び接続線１６を支持できる強度を持つ。
【００４１】
さらに、図５（ｂ）に図示する状態では、仮に、車両に振動又は衝撃が起こったとしても、ＵＳＢメモリ１０とＵＳＢコネクタ１３が、前後又は左右に振り子のように振動するのみであり、座席に座っている人に及ぼす危険は少ない。
【００４２】
また、図５（ｂ）に図示する状態では、ＵＳＢメモリ１０はＵＳＢコネクタ１３から垂れ下がった状態で保持されている。したがって、ＵＳＢコネクタ１３にＵＳＢ接続できる電子機器、例えば、ＭＰ３オーディオ等をＵＳＢメモリ１０と同様に接続して利用することができる。ただし、ＵＳＢコネクタ１３に接続できるのは、巻き取り機構１３、接続線１６及びＵＳＢコネクタ１３で支持できる程度の重さのものである。
【００４３】
図５（ｃ）は、図５（ｂ）の状態で、ＵＳＢコネクタ１３からＵＳＢメモリ１０を取り外した後の状態を示したものである。取り外した後に、ＵＳＢコネクタ１３と接続線１６とを手前に引かなければ、ＵＳＢコネクタ１３は、垂れ下がった状態のままである。
【００４４】
しかしながら、ＵＳＢメモリ１０をＵＳＢコネクタ１３から取り外した後に、ＵＳＢコネクタ１３と接続線１６とを手前に引くと、巻き取り機構３０により、ＵＳＢコネクタ１３は、ＵＳＢコネクタ収容部２７内に引き寄せられ、ＵＳＢコネクタ１３は、例えば、図５（ａ）の位置の収容部下面２７−２上で停止する。
【００４５】
また、接続線１６が、図５（ｃ）の状態と同程度の長さで巻き取り機構３０の巻き取り動作が停止するように操作すると、ＵＳＢコネクタ１３は、垂れ下がった状態となる。図５（ｃ）の状態のＵＳＢコネクタ１３とＵＳＢメモリ１０を接続する場合は、ＵＳＢコネクタ１３を指先で掴むために、ＵＳＢコネクタ収容部２７内に指先を挿入する必要はなく、垂れ下がった状態のＵＳＢコネクタ１３を摘むことができ、ＵＳＢメモリ１０とＵＳＢコネクタ１３の接続を更に簡単に行うことができる。
【００４６】
図６（ａ）、（ｂ）、（ｃ）は、本発明の他のＵＳＢメモリ接続機構のＵＳＢコネクタ収容部の断面構造を図２のＩ−Ｉ矢視方向断面図で示したものである。ここで、図６（ａ）〜（ｃ）は、図５（ａ）〜（ｃ）に示されるＵＳＢコネクタ収容部２７のＵＳＢコネクタ収容部上面２７−１、ＵＳＢコネクタ収容部下面２７−２のテーパを様々に変形したものである。なお、図６（ａ）〜（ｃ）には、ＵＳＢコネクタ収容部２７、ＵＳＢコネクタ１３、接続線１６及び巻き取り機構３０以外の要素は図示していない。
【００４７】
図６（ａ）は、ＵＳＢコネクタ収容部上面２７−１及びＵＳＢコネクタ収容部下面２７−２に、手前から奥行き方向の途中までテーパ面を形成し、奥行き方向の途中からＵＳＢコネクタ収容部奥部２７−３までをテーマ面を形成しない水平面としたものである。図６（ｂ）は、ＵＳＢコネクタ収容部上面２７−１及びＵＳＢコネクタ収容部下面２７−２に、手前から奥行き方向の途中まで階段状のテーパ面を形成し、奥行き方向の途中からＵＳＢコネクタ収容部奥部２７−３までをテーマ面を形成しない水平面としたものである。また、図６（ｃ）は、ＵＳＢコネクタ収容部上面２７−１には、テーパ面を形成するが、ＵＳＢコネクタ収容部下面２７−２にはテーパ面を形成しないものである。
【００４８】
ここで、図６（ｂ）のＵＳＢコネクタ収容部上面２７−１及びＵＳＢコネクタ収容部下面２７−２に形成した階段状のテーパ面をＵＳＢコネクタ収容部２７の開口部２８からＵＳＢコネクタ収容部奥部２７−３まで形成してもよく、図６（ｃ）のＵＳＢコネクタ収容部２７のＵＳＢコネクタ収容部下面２７−２のような平面を、ＵＳＢコネクタ収容部２７のＵＳＢコネクタ収容部上面２７−１又はＵＳＢコネクタ収容部下面２７−２のいずれかの部分に少なくとも一部形成してもよい。いずれにしても、ＵＳＢコネクタ収容部２７は、ＵＳＢコネクタ１３がＵＳＢコネクタ収容部２７内のＵＳＢコネクタ収容部下面２７−２上に支持されたときに、指先でＵＳＢコネクタ１３が取り出せる程度の高さ及び幅を備えた開口を備えればよい。
【００４９】
図７は、本発明の更に他のＵＳＢメモリ接続機構を備えた車載用電子機器の正面概略図である。そして、図７は、ＵＳＢコネクタ収容部２７を車載用電子機器２１の意匠面（前面）２２の右下端に形成したものである。図７には、表示部２４、ＵＳＢコネクタ収容部２７、ＵＳＢコネクタ１３、接続線１６以外の要素は図示していない。ＵＳＢコネクタ収容部２７の形成位置は、図２での形成位置と左右反対である。
【００５０】
また、図示していないが、ＵＳＢコネクタ収容部２７の形成位置は、車載用電子機器２１の意匠面（前面）２２の下端部で、形成可能な位置であればどこでもよい。さらに、ＵＳＢコネクタ１３とＵＳＢメモリ１０を接続し垂れ下がって保持した際に、ダイヤル・スイッチ等の操作の障害とならなければ、表示部２４以外の意匠面（前面）２２のいずれの場所に形成しても構わない。
【００５１】
図８は、本発明の更に他のＵＳＢメモリ接続機構のプッシュイン・プッシュアウト機構を備える車載用電子機器の概略斜視図である。そして、図８は、プッシュイン・プッシュアウト機構４０（図９、図１０参照）を備えたＵＳＢメモリ接続構造を用いた場合の概観斜視図である（図１１参照）。図８には、開口部４６を備えるＵＳＢコネクタ収容部４７、表示部２４、前面２２、ＵＳＢコネクタ４３以外の要素は図示していない。
【００５２】
図９は、本発明に関するＵＳＢメモリ接続構造で利用するプッシュイン・プッシュアウト機構４０の概略図である。プッシュイン・プッシュアウト機構４０は、プッシュイン・プッシュアウト機構本体４１と、ＵＳＢコネクタ４３から構成され、ＵＳＢコネクタ４３は、コネクタ支持部４２とＵＳＢ受け部４４から構成される。プッシュイン・プッシュアウト機構４０の動作の詳細は、図１０を用いて説明する。なお、プッシュイン・プッシュアウト機構は、プッシュ／プッシュ機構とも呼ばれる。
【００５３】
図１０（ａ）、（ｂ）、（ｃ）は、本発明のＵＳＢメモリ接続機構に用いられるプッシュイン・プッシュアウト機構の一例の動作を説明するために、プッシュイン・プッシュアウト機構４０のプッシュイン・プッシュアウト機構本体４１の上面を覆う部材を取り除いた状態の上面概観図である。そして、図１０（ａ）、（ｂ）、（ｃ）は、それぞれ、本発明のＵＳＢメモリ接続機構のプッシュイン・プッシュアウト機構の使用状態で、コネクタ支持部４２が押し込まれる前の状態、コネクタ支持部４２が押し込まれてロックされた状態、コネクタ支持部４２がさらに押し込まれてロックが解除された状態を示す。
【００５４】
図１０（ａ）は、プッシュイン・プッシュアウト機構本体４１から外方に突出するＵＳＢコネクタ４３のＵＳＢ受け部４４にＵＳＢメモリ１０のＵＳＢ取付部１２を接続する前の状態を示す。図１０（ｂ）は、プッシュイン・プッシュアウト機構本体４１から突出するＵＳＢコネクタ４３のＵＳＢ受け部４４にＵＳＢメモリ１０のＵＳＢ取付部１２を押し込むことにより、ＵＳＢ受け部４４にＵＳＢ取付部１２が接続され、プッシュイン・プッシュアウト機構４０により、ＵＳＢコネクタ４３のＵＳＢ支持部４２がロックされた状態を示す。図１０（ｃ）は、図１０（ｂ）のロックされた状態でさらにＵＳＢメモリ１０を押し込むことにより、プッシュイン・プッシュアウト機構４０のＵＳＢコネクタ４３のロックが解除された状態を示す。
【００５５】
プッシュイン・プッシュアウト機構４０の動作を、（ａ）最初にＵＳＢメモリ１０をＵＳＢコネクタ４３に押し付け、更に押し込むことにより、コネクタ支持部４２がロックされるまでの動作、（ｂ）コネクタ支持部４２がロックされた状態でＵＳＢメモリ１０をさらに押し込むことにより、ロック状態を解除されるまでの動作、（ｃ）ロック状態が解除された後、コネクタ支持部４２がＵＳＢメモリ１０を取り外し可能な位置に戻るまでの動作に区分して説明する。
【００５６】
図１０（ａ）の状態で、ＵＳＢメモリ１０のＵＳＢ取付部１２をＵＳＢ受け部４４に挿入すると、挿入途中の状態でコネクタ支持部４２は、図１０（ａ）の図面上で上方に押され、ＵＳＢコネクタバネ５９ａの付勢力に抗してプッシュイン・プッシュアウト機構筐体４９の内側に押し込まれる。その時、スライド部材５１のロック部材用凹部５６にロック部材５３の屈曲前部５３ａが挟持され、スライド部材５１と一体のバネ支持部５４の凸状部（図示せず）に挿入嵌合するスライド部材バネ５９ｂにより、スライド部材５１は、図面上で下方向に付勢力が働く。
【００５７】
ここで、スライド部材５１は、プッシュイン・プッシュアウト機構の動作中において、スライド部材バネ５９ｂから図面上で下方向の付勢力を受けるが、プッシュイン・プッシュアウト機構筐体４９内で固定されており、図面上の上下方向には移動しない。
【００５８】
また、ロック部材５３は、ロック支持部５３ｄ、屈曲前部５３ａ、屈曲後部５３ｂ、係合部５３ｃが連続して一体に金属の線材で形成されている。ロック支持部５３ｄは、スライド部材５１の厚さ方向で支持され、屈曲前部５３ａは、スライド部材５１のロック部材用凹部５６に嵌め込まれ、ロック部材５３は、ロック支持部５３ｄと屈曲前部５３ａでスライド部材５１に支持されている。屈曲後部５３ｂに働く図面上の左方向への弾性力により係合部５３ｃは、コネクタ支持部平坦部４２ｄに弾性的に接触する。スライド部材凹部５５は、屈曲後部５３ｂが図面上の右方向へ弾性的に、コネクタ支持部平坦部４２ｄより突出できる空間である。
【００５９】
この状態で、コネクタ支持部４２を更に押し込むと、ロック部材５３の係合部５３ｃは、コネクタ支持部平坦部４２ｄを押圧した状態で、コネクタ支持部４２がプッシュイン・プッシュアウト機構筐体４９の内側に更に押し込まれる。ＵＳＢメモリ１０をプッシュイン・プッシュアウト機構筐体４９の内側に押し込む動作を継続すると、係合部５３ｃが屈曲後部５３ｂによりコネクタ支持部平坦部４２ｄに押圧された状態で、係合部５３ｃがコネクタ支持部平坦部４２ｄの平面部から、コネクタ支持部凹部４２ｃに弾性的に押し込まれる。
【００６０】
係合部５３ｃがコネクタ支持部凹部４２ｃに落ち込むと、ロック部材５３の係合部５３ｃはコネクタ支持部凹部４２ｃと係合する。したがって、ＵＳＢメモリ１０の図面上の上方向へ押し込む動作を止めても、係合部５３ｃは、コネクタ支持部凹部４２ｃと係合している。そのため、ＵＳＢコネクタバネ５９ａの図面上の下方向への付勢力があっても、コネクタ支持部４２、ＵＳＢメモリ１０は、プッシュイン・プッシュアウト機構筐体４９の外側に押し出されない。この状態を、図１０（ｂ）に示す。
【００６１】
この状態でさらにＵＳＢメモリ１０をプッシュイン・プッシュアウト機構筐体４９の内側に押す。すると、係合部５３ｃは、コネクタ支持部４２の側面が傾斜面４２ｂとなっているので、屈曲前部５３ａ、屈曲後部５３ｂの弾性力があっても、容易にＵＳＢメモリ１０を押し込むことができる。そして、係合部５３ｃは、コネクタ支持部４２の平坦面４２ｄの位置に、ロック部材５３の弾性力に抗して押し戻される。この状態が、ロックの解除された状態である（図１０（ｃ））。
【００６２】
コネクタ支持部４２のロックが解除された状態では、コネクタ支持部４２は、ＵＳＢコネクタバネ５９ａにより、図面上で上から下方向への付勢力が働いている。また、スライド部材５１には、スライド部材バネ５９ｂ、バネ支持部５４を介して、同様に図面上で上から下方向への付勢力が働いているが、スライド部材５１は、図面上の上下方向には動かないように固定されている。
【００６３】
したがって、図１０（ｃ）の状態で、ＵＳＢメモリ１０を押し込む力を解除する、言い換えると、押し込む動作を止めて、ＵＳＢメモリ１０から手を離すと、コネクタ支持部４２は、ＵＳＢコネクタバネ５９ａの付勢力により、図面上の下方向へ押し出される。しかし、コネクタ支持部４２には、コネクタ支持部突出部４２ａが形成されているので、図１０（ａ）に示した状態、即ち、プッシュイン・プッシュアウト機構筐体４９にコネクタ支持部突出部４２ａが係合して、コネクタ支持部４２はそれ以上、プッシュイン・プッシュアウト機構筐体４９から押し出されなくなる。
【００６４】
この状態で、ＵＳＢメモリ１０を掴んで手前に引き出すことにより、ＵＳＢメモリ１０は、ＵＳＢコネクタ４３との接続をはずして、簡単に取り出すことができる。
【００６５】
結局、ＵＳＢメモリ１０とＵＳＢコネクタ４３との接続開始時には、ＵＳＢ受け部４４は、ＵＳＢコネクタ収容部４７の開口部４６近傍に位置する（図１１（ａ）参照）ので、ＵＳＢメモリ１０のＵＳＢコネクタ４３への接続は簡単にできる。また。ＵＳＢメモリ１０は、ＵＳＢ受け部４４が固定された状態でＵＳＢモメリ１０のＵＳＢ取付部１２をＵＳＢ受け部４４に挿入するので、ＵＳＢメモリ１０のＵＳＢコネクタ４３との接続は容易である。
【００６６】
また、ＵＳＢメモリ１０がＵＳＢコネクタ４３と接続され、コネクタ支持部４２がプッシュイン・プッシュアウト機構４０にロックされた状態、即ち、ＵＳＢメモリ１０を車載用電子機器に電気的に接続して使用する状態では、コネクタ支持部４２の大部分は、ＵＳＢコネクタ収容部４７内に収容されている（図１１（ｃ）参照）。そのため、コネクタ支持部４２にＵＳＢメモリ１０が接続されると、ＵＳＢメモリ１０の多くの部分も、ＵＳＢコネクタ収容部４７内に収容される。
【００６７】
したがって、ＵＳＢメモリ１０をＵＳＢコネクタ４３に接続した状態（図１０（ａ）、図１１（ｃ）参照）では、ＵＳＢメモリ１０のＵＳＢコネクタ収容部４７外方への突出長は、ＵＳＢメモリ１０の長さと比較して十分に短く、仮に、車両に衝突等が発生しても、座席に座っている人が、ＵＳＢコネクタ１０に衝突する等の危険は十分に小さい。
【００６８】
さらに、ＵＳＢメモリ１０の取り出しにおいても、ＵＳＢメモリ１０の使用状態で、さらにＵＳＢメモリ１０を内側に押し込むのみで、ＵＳＢメモリ１０は、ＵＳＢコネクタ収容部４７内で手前に突出した状態となる（図１１（ｂ）参照）。その状態で、ＵＳＢメモリ１０を指で掴んで手前に引くと容易に取り出すことができる。
【００６９】
図１１（ａ）〜（ｃ）は、本発明の更に他のＵＳＢメモリ接続機構のプッシュイン・プッシュアウト機構本体とＵＳＢメモリとの接続状態の、図８のＩＩ−ＩＩ矢視方向断面図である。なお、図１１（ａ）〜（ｃ）には、ＵＳＢ受け部４４とコネクタ支持部４２からなるＵＳＢコネクタ４３、プッシュイン・プッシュアウト機構本体４１、ＵＳＢコネクタ収容部２７及び前面２２以外の構成要素は図示していない。また、図１１（ｂ）、（ｃ）は、それぞれ、図１０（ａ）、（ｂ）に対応した状態を示す。
【００７０】
ここで、ＵＳＢメモリ接続機構４８は、ＵＳＢコネクタ収容部４７、ＵＳＢコネクタ４３とプッシュイン・プッシュアウト機構本体４１を含む。また、プッシュイン・プッシュアウト機構４０は、プッシュイン・プッシュアウト機構本体４１とともに、コネクタ支持部４２の一部の構成も含むと考えることもできる。さらに、ＵＳＢ受け部４４は、コネクタ支持部４２と同一平面上で、コネクタ支持部４２により、プッシュイン・プッシュアウト機構本体４１に接続される。さらに、ＵＳＢ受け部４４は、図１（ａ）のＵＳＢ受け部１４と同様に、ＵＳＢメモリ１０のＵＳＢ取付部１２と相互に挿入して接続される。
【００７１】
図１１（ａ）は、ＵＳＢコネクタ４３のＵＳＢ受け部４４がＵＳＢメモリ１０のＵＳＢ取付部１２に接続される前の状態を示す。ＵＳＢ受け部４４は、プッシュイン・プッシュアウト機構本体４１に接続されるコネクタ支持部４２により、ＵＳＢコネクタ収容部４７内でＵＳＢコネクタ収容部上面４７−１、ＵＳＢコネクタ収容部下面４７−２、ＵＳＢコネクタ収容部奥部４７−３のいずれにも接することなく保持される。
【００７２】
図１１（ｂ）は、ＵＳＢメモリ１０のＵＳＢ取付部１２のＵＳＢ受け部４４への接続が開始された状態を示す。ＵＳＢメモリ１０のＵＳＢ取付部１２がＵＳＢ受け部４４への接続が開始されると、ＵＳＢ取付部１２は、ＵＳＢ受け部４４へ挿入される。そして、ＵＳＢ取付部１２がＵＳＢ受け部４４への接続を完了すると、図１１（ｃ）に示される状態となる。
【００７３】
ここで、ＵＳＢ取付部１２とＵＳＢ受け部４４との接続は、ＵＳＢ受け部４４がＵＳＢメモリ１０のＵＳＢ取付部１２と接続する前の位置（図１１（ａ）参照）と、プッシュイン・プッシュアウト機構本体４１が、ＵＳＢ受け部４４と接続するコネクタ支持部４２を保持する定まった位置（例えば、図１１（ｃ））の間で徐々に進行する。そして、ＵＳＢメモリ１０のＵＳＢ取付部１２とＵＳＢ受け部４４との接続は、図１１（ｂ）と図１１（ｃ）との間のいずれかの位置において、車両の振動により接続が外れない程度に強固に固定される。
【００７４】
図１１（ｂ）に示されるＵＳＢ受け部４４の位置で、ＵＳＢメモリ１０のＵＳＢ取付部１２をＵＳＢコネクタ４３のＵＳＢ受け部４４に挿入する際には、ＵＳＢ受け部４４がコネクタ支持部４２に固定支持されている。そのため、ＵＳＢメモリ１０とＵＳＢメモリ接続機構４８のＵＳＢコネクタ４３への接続のための位置合わせは、ＵＳＢメモリ１０を片手で持った状態で簡単にできる。
【００７５】
図１１（ｃ）に示されるＵＳＢメモリ１０がＵＳＢコネクタ４３のＵＳＢ受け部４４に接続された状態を示す。この状態では、プッシュイン・プッシュアウト機構４０により、ＵＳＢメモリ１０は確実に固定される。また、ＵＳＢメモリ１０は、ＵＳＢコネクタ収容部４７にかなりの部分が収容されるので、ＵＳＢメモリ１０の全体の長さに対して比較的少ない部分のみが突出した状態となる。
【００７６】
最近半導体メモリの容量は急激に増加している。そのため、ＣＤに代えて半導体メモリを用いて、車載用電子機器への楽曲のデータを供給することが可能である。その場合、ＣＤプレーヤ及びそのための駆動回路等が不要となることがある。したがって、車載用電子機器２１の内部に収容配置する構成要素が削減可能で、内部に空間的余裕があれば、ＵＳＢメモリ１０の全体を収容できるＵＳＢコネクタ収容部４７を形成することが可能である。
【００７７】
図１１（ｃ）に図示する状態では、ＵＳＢメモリ１０の車載用電子機器２１外方への突出量は少ない。したがって、仮に、車両に振動又は衝撃が起こったとしても、座席に座っている人に及ぼす危険は非常に少なく。ＵＳＢメモリ１０の全体の長さが突出している場合と比較して、危険は十分に回避できる。
【００７８】
図１１（ｃ）に示される状態で、ＵＳＢメモリ１０を更に押し込むと、プッシュイン・プッシュアウト機構４０の働きにより、コネクタ支持部４２が、ＵＳＢコネクタ収容部４７の外方に向かって突出した状態となる（図１１（ｂ）参照）。その状態では、ＵＳＢメモリ１０の全体の長さの大部分は、ＵＳＢコネクタ収容部４７の外部に突出している。したがって、ＵＳＢメモリ１０を指で掴んで、ＵＳＢコネクタ４３から簡単に取り外すことができる。
【００７９】
図１１（ａ）〜（ｃ）に示される、本発明のＵＳＢメモリ接続機構においては、ＵＳＢメモリ１０とＵＳＢコネクタ４３との接続のために、ＵＳＢコネクタ４３を指で掴むことは必要でない。ＵＳＢメモリ１０は、ＵＳＢコネクタ収容部４７の外側からＵＳＢコネクタ４３に挿入接続できるので、ＵＳＢコネクタ収容部４７の開口面積は、ＵＳＢコネクタ４３の位置が開口の外側から確認できる程度の大きさであればよい。
【００８０】
したがって、例えば、ＵＳＢコネクタ４３の厚みが約１０ｍｍ、幅が約１５ｍｍとすると、ＵＳＢコネクタ収容部４７は、例えば、高さが２０ｍｍ程度、幅が２５ｍｍ程度とするのが好ましい。なお、ＵＳＢコネクタ収容部４７内にＵＳＢコネクタ４３を縦長に収容した場合も、横長に収容した場合もほぼ同様な開口形状、開口面積でよい。また、ＵＳＢコネクタ収容部２７の幅及び高さはほぼ同じであってもよい。さらに、ＵＳＢコネクタ収容部４７の開口部４６の面積は、前面２２に配置される他の構成要素と関連して拡大又は縮小することも可能である。
【００８１】
図１２（ａ）、（ｂ）は、本発明の更に他のＵＳＢメモリ接続機構のプッシュイン・プッシュアウト機構とＵＳＢメモリとの接続状態の、図８のＩＩ−ＩＩ矢視方向断面図である。なお、図１２（ａ）、（ｂ）には、ＵＳＢ受け部４４とコネクタ支持部４２からなるＵＳＢコネクタ４３、プッシュイン・プッシュアウト機構４０、ＵＳＢコネクタ収容部２７及び前面２２以外の構成要素は図示していない。
【００８２】
ここで、ＵＳＢメモリ接続機構４８は、ＵＳＢコネクタ収容部４７と、ＳＢコネクタ４３に接続されるプッシュイン・プッシュアウト機構４０を含む。また、ＵＳＢ受け部４４は、コネクタ支持部４２先端部の上面又は下面に配置され、コネクタ支持部４２により、プッシュイン・プッシュアウト機構４０に接続される。さらに、ＵＳＢ受け部４４は、図１（ａ）のＵＳＢ受け部１４と同様に、ＵＳＢメモリ１０のＵＳＢ取付部１２と相互に挿入して接続される。
【００８３】
なお、図１２（ａ）、（ｂ）に示される構造においては、ＵＳＢメモリ１０をＵＳＢコネクタ４３に挿入接続する際に、コネクタ支持部４２とＵＳＢ受け部４４との接続部に強い左右方向の応力が働く。したがって、コネクタ支持部４２とＵＳＢ受け部４４との接続部での固定は十分強固にすることが必要である。
【００８４】
図１２（ａ）、（ｂ）に示されるＵＳＢメモリ接続構造４８においては、ＵＳＢ受け部４４がコネクタ支持部４２先端部の上面又は下面に配置されているので、プッシュイン・プッシュアウト機構４０からＵＳＢコネクタ収容部４７への突出長が、ＵＳＢ受け部４４に相当する長さ短くなる。したがって、ＵＳＢコネクタ収容部４７の奥行き方向の長さを、図１１（ａ）〜（ｃ）に示されるＵＳＢメモリ接続機構４８と比較して短縮することができる。その際、ＵＳＢ受け部４４の厚さを考慮し、ＵＳＢコネクタ収容部４７の縦方向の長さを拡大することが望ましい。
【００８５】
図１３（ａ）〜（ｃ）は、本発明の更に他のＵＳＢメモリ接続機構のプッシュイン・プッシュアウト機構を備える車載用電子機器の正面図である。図１３（ａ）〜（ｃ）には、ＵＳＢ受け部４４、表示部２４及びＵＳＢコネクタ収容部４７以外の構成要素は、車載用電子機器２１の前面２２に図示していない。
【００８６】
図１３（ａ）に記載されるＵＳＢメモリ接続機構においては、ＵＳＢコネクタ収容部４７内に保持されるＵＳＢ受け部４４は、図８のＵＳＢメモリ接続機構では左下に横長に配置されるのに対して、縦長で左下に配置されている。このような配置により、ＵＳＢコネクタ収容部４７の幅を減少することができる。一方、その縦方向長は多少増加する。
【００８７】
図１３（ｂ）に記載されるＵＳＢメモリ接続機構においては、ＵＳＢコネクタ収容部４７内に保持されるＵＳＢ受け部４４は、その断面は横長で、右下に配置されている。また、図１３（ｃ）に記載されるＵＳＢメモリ接続機構においては、ＵＳＢコネクタ収容部４７内に保持されるＵＳＢ受け部４４は、その断面が縦長で、右上に配置されている。
【００８８】
このように、プッシュイン・プッシュアウト機構４０を備えたＵＳＢメモリ接続機構は、車載用電子機器２１の意匠面（前面）２２の表示部２４以外の任意の場所に配置することができる。また、ＵＳＢメモリ１０をＵＳＢコネクタ４３に接続した状態でも、ＵＳＢメモリ１０は、その多くの部分がＵＳＢメモリ収容部４７に収容されるので、意匠面（前面）２２からの突出部分は少なく、何らの障害にならない。仮に、衝突等の衝撃が生じても、座席に座っている人に及ぼす危険は少ない。
【符号の説明】
【００８９】
１０    ＵＳＢメモリ
１１    ＵＳＢメモリ本体
１２    ＵＳＢ取付部
１３    ＵＳＢコネクタ
１４    ＵＳＢ受け部
１５    ＵＳＢコネクタ本体
１６    接続線
１８    ＵＳＢメモリ接続機構
２１    車載用電子機器
２２    意匠面（前面）
２３    ＣＤ，ＤＶＤトレイ
２４    表示部
２５    つまみ
２６    スイッチ
２７    ＵＳＢコネクタ収容部
２７−１，４７−１    ＵＳＢコネクタ収容部上面
２７−２，４７−２    ＵＳＢコネクタ収容部下面
２７−３，４７−３    ＵＳＢコネクタ収容部奥部
２８、４６    開口部
３０    巻き取り機構
３１    巻き取り部
３２    接続線
３３    回転軸
３３ａ    バネ固定軸
３４    回転軸穴
３５ａ、３５ｂ    フランジ部
３６ａ    ゼンマイバネ
３６ｂ    バネ固定リブ
３６ｃ    バネ押え板
３６ｄ    固定板
３６ｅ    フランジ部
３７    ブレーキ部材
３７ａ    ローラー
３７ｂ    ブレーキレバー
３７ｃ    ブレーキレバースプリング
３８    隙間
３９    外周面
４０    プッシュイン・プッシュアウト機構
４１    プッシュイン・プッシュアウト機構本体
４２    コネクタ支持部
４２ａ    コネクタ支持部突出部
４２ｂ    コネクタ支持部傾斜面
４２ｃ    コネクタ支持部凹部
４２ｄ    コネクタ支持部平坦部
４３    ＵＳＢコネクタ
４４    ＵＳＢ受け部
４７    ＵＳＢコネクタ収容部
４８    ＵＳＢメモリ接続機構
４９    プッシュイン・プッシュアウト機構筐体
５１    スライド部材
５２    スライド本体部
５３    ロック部材
５３ａ    屈曲前部
５３ｂ    屈曲後部
５３ｃ    係合部
５３ｄ    ロック部材支持部
５４    バネ支持部
５５    スライド部材凹部
５６    ロック部材用凹部
５９ａ    ＵＳＢコネクタバネ
５９ｂ    スライド部材バネ
【図１】
2012040919.tif 000003
【図２】
2012040919.tif 000004
【図３】
2012040919.tif 000005
【図４】
2012040919.tif 000006
【図５】
2012040919.tif 000007
【図６】
2012040919.tif 000008
【図７】
2012040919.tif 000009
【図８】
2012040919.tif 000010
【図９】
2012040919.tif 000011
【図１０】
2012040919.tif 000012
【図１１】
2012040919.tif 000013
【図１２】
2012040919.tif 000014
【図１３】
2012040919.tif 000015